【手続補正書】
【提出日】平成17年11月18日(2005.11.18)
【手続補正１】
【補正対象書類名】明細書
【補正対象項目名】全文
【補正方法】変更
【補正の内容】
【書類名】      明細書
【発明の名称】  画像編集印刷装置および画像編集印刷方法
【特許請求の範囲】
【請求項１】
被写体の操作入力により該被写体を撮影する撮影手段と、
前記撮影手段での撮影に同期して発光し前記被写体を照明する照明手段と、
前記撮影手段で取得した画像を表示する表示手段と、
前記表示手段に表示された前記撮影手段で取得した画像に編集入力を受付ける編集受付手段と、
前記編集受付手段で編集入力を受付けた画像を印刷する印刷手段とを備えた筐体と、
前記撮影手段による前記被写体の撮影の際に撮影空間として使用し、前記編集受付手段で編集入力を受付ける際に編集空間として使用する接客空間とを備えた画像編集印刷装置において、
前記編集受付手段が可動であり、
前記撮影手段が前記被写体からの撮影の操作入力を許容している場合は、前記編集受付手段が前記筐体内に収納されていることを特徴とする
画像編集印刷装置。
【請求項２】
前記編集受付手段が前記被写体からの編集受付を許容している場合は、前記編集受付手段が前記筐体から前記接客空間内に突出できるように構成されていることを特徴とする
請求項１に記載の画像編集印刷装置。
【請求項３】
前記筐体内に収納されている前記編集受付手段は操作できない状態となっていることを特徴とする
請求項１又は２に記載の画像編集印刷装置。
【請求項４】
前記編集受付手段が引き出し式となっていることを特徴とする
請求項１から３のいずれか一項に記載の画像編集印刷装置。
【請求項５】
前記撮影手段が可動であり、
前記編集受付手段が前記被写体からの編集受付を許容している場合は前記撮影手段が操作できない状態で前記筐体内に収納されていることを特徴とする
請求項１に記載の画像編集印刷装置。
【請求項６】
直方体状の回転箱を持ち、前記撮影手段と前記編集受付手段とが、該回転箱の対向する面に配置されていることを特徴とする
請求項５に記載の画像編集印刷装置。
【請求項７】
撮影手段により照明手段で照明された接客空間内の被写体を撮影し、編集受付手段により撮影された画像に対する編集入力を接客空間内の前記被写体から受付け、編集された画像を印刷する画像編集印刷方法において、
前記撮影手段を前記接客空間内の前記被写体に対向した筐体の接客面に配置させるとともに前記編集受付手段を該筐体内に収納するステップと、
撮影をおこなうステップと、
前記編集受付手段を前記接客面に配置させるとともに前記撮影手段を前記筐体内に収納するステップと、
編集を許容するステップと、
を有することを特徴とする画像編集印刷方法。
【発明の詳細な説明】
【０００１】
【発明の属する技術分野】
本発明は、例えば、遊戯施設（例えばゲームセンタ）において、デジタルカメラで撮影した画像を編集し、編集した画像をシール紙に印刷したり、モニタ付きの携帯電話等に転送したりするような画像編集印刷装置に関する。
【０００２】
【従来の技術】
従来、上記の遊戯施設に備えられた画像編集印刷装置としては、筐体の接客面がテントに囲繞されており、その一部が入り口となっており、入り口から装置内部に入り、硬貨を投入し、筐体接客面に備えられたカメラにより利用者を撮影し、撮影した画像を筐体接客面のモニタに表示し、表示した画像に対して、タッチペン等にてペンツールやスタンプツールを用い図形や文字等を付加するような編集を行い、編集した画像をＡ５サイズ程度のシール紙に何分割かに分割し印刷し出力するものが知られている。
【０００３】
概して画像編集印刷装置が多く設置されている遊戯施設は、利用者が多く集まる場所に立地しており、遊戯施設内に設置されている画像編集印刷装置は遊戯施設の限られたスペースを有効に活用して設置されるのが常である。
【０００４】
また、画像編集印刷装置は、筐体と筐体の接客面を囲繞するテントという筐体寸法プラス利用者の撮影／編集空間という構成から、近年は、前述のようにテントで筐体の接客面が囲繞され、その限られた空間の中で利用者はカメラの近くに寄ってアップ撮影したり、カメラから離れて全身を撮影したりし、テント内でカメラの画角内の自由な位置で撮影するようになってきており、装置が大きくなっている。
【０００５】
【特許文献１】
特開２００１−３３９６２５号公報
【０００６】
【発明が解決しようとする課題】
このような画像編集印刷装置において、空間を有効に活用して撮影するためには、たとえば、広角レンズのカメラを使用し、撮影空間の前後方向を従来より短くする方法もあるが、多数の利用者で撮影した場合、端の方に写る利用者にどうしてもひずみが発生して、ソフト処理にて補正をしても思い通りの画像に仕上がらないという問題点があり、ゲームセンタのような限られたスペースの中で、いかに装置内の空間を有効に使い、撮影／編集空間を確保するかが問題であった。
【０００７】
この発明は、このような従来の問題点に鑑み、装置内の空間を有効に使用することを目的としている。
【０００８】
【課題を解決するための手段】
本発明の画像編集印刷装置は、被写体の操作入力により該被写体を撮影する撮影手段と、前記撮影手段での撮影に同期して発光し前記被写体を照明する照明手段と、前記撮影手段で取得した画像を表示する表示手段と、前記表示手段に表示された前記撮影手段で取得した画像に編集入力を受付ける編集受付手段と、前記編集受付手段で編集入力を受付けた画像を印刷する印刷手段とを備えた筐体と、前記撮影手段による前記被写体の撮影の際に撮影空間として使用し、前記編集受付手段で編集入力を受付ける際に編集空間として使用する接客空間とを備えた画像編集印刷装置において、前記編集受付手段が可動であり、前記撮影手段が前記被写体からの撮影の操作入力を許容している場合は、前記編集受付手段が前記筐体内に収納されていることを特徴としている。これにより、利用者の撮影ならびに画像編集時の利用空間を保持して機器の設置スペースを小さくすることができる。また、撮影時に編集受付手段がないので、筐体の接客空間に面する接客面の撮影部分以外を照明手段にすることが可能となり、明るい中での撮影が可能となる。
【０００９】
また、本発明においては、前記編集受付手段が前記被写体からの編集受付を許容している場合は、前記編集受付手段が前記筐体から前記接客空間内に突出できるように構成してもよい。これにより、編集時には編集に必要な部分を利用者である被写体の接客面に突出して配置可能とすることで、利用者にとって、操作等をわかりやすくすることができる。
【００１０】
また、本発明においては、前記筐体内に収納されている前記編集受付手段は操作できない状態としてもよい。これにより、撮影時は撮影に必要な部分を利用者ある被写体の接客面に配置することで、利用者にとって、操作等をわかりやすくすることができる。
【００１１】
また、本発明においては、編集受付手段を引き出し式としてもよい。これにより、撮影時に画像編集印刷装置内の空間を有効に利用できる。
【００１２】
また、本発明においては、撮影手段も可動とし、前記編集受付手段が前記被写体の編集受付処理中に前記撮影手段が利用者から操作できない状態で画像編集装置の筐体内に収納されるようにしてもよい。これにより、編集時に画像編集印刷装置内の空間を有効に利用できる。
【００１３】
また、本発明においては、前記撮影手段と前記編集手段とが、直方体状の回転箱の対向する面に配置されていてもよい。これにより、画像編集印刷装置内の空間を有効に利用できる。
【００１４】
また、請求項７の発明による画像編集印刷方法は、撮影手段を接客空間内の被写体に対向した筐体の接客面に配置させるとともに編集受付手段を該筐体内に収納するステップと、撮影をおこなうステップと、編集受付手段を接客面に配置させるとともに撮影手段を前記筐体内に収納するステップと、編集を許容するステップと、を有することを特徴としている。これにより、画像編集印刷装置内の空間を有効に利用できる。
【００１５】
【発明の実施の形態】
（第１の形態）
つぎに、この発明の一実施形態を図と共に説明する。図１および図２は本発明の画像編集印刷装置の一実施の形態の斜視図と正面図である。この画像編集印刷装置１は、筐体３と、主に撮影や撮影した画像の編集を行なう撮影／編集空間を形成するテント９と、テント９を保持するフレーム７により構成されている。
【００１６】
以下、撮影／編集空間に面している筐体３の面を接客面とし、その反対側を背面、テント内から筐体３を見て左側の筐体３の側面を左側面、テント内から筐体３を見て右側の筐体３の側面を右側面という。また、テント内の筐体３の接客面と対する面を背景面という。
【００１７】
筐体３は、ほぼ直方体の形状をしており、筐体３の接客面を囲う形で、上部ならびに左右に四角断面のパイプ形状をしたフレーム７がある。フレーム７はテント９で覆われており、利用者の入り口である左右の一部にカーテン１０がある。筐体３の右側面下部には、画像編集印刷装置１の利用料金を投入する硬貨投入口５ならびに、写真シール排出口６が配置されている。写真シール排出口６の内側には印刷手段であるプリンタ３４（図示せず）があり、遊戯後にこのプリンタ３４により写真シールが印刷され、写真シール排出口６より排出される。プリンタ３４は、昇華型プリンタ、インクジェットプリンタ、熱転写プリンタ等のプリンタにより構成される。また、筐体３の接客面上部中央には撮影／編集ユニット４があり、その上部ならび左右に拡散板２ａ、２ｃ、２ｂが配置されている。また、筐体３の接客面に操作方法や撮影画像等を表示するプロジェクタ８が、上部のフレーム７に固定されている。
【００１８】
図３は画像編集印刷装置１の筐体３の正面図である。筐体３の接客面の上部ならびに左右に拡散板２ａ、２ｃ、２ｂが配置されている。図４は拡散板２ａ、２ｂ、２ｃを取り外した筐体３の正面図である。筐体３の内部の拡散板２ａ、２ｂ、２ｃの奥には、連続照明手段として蛍光灯１２ａ、１２ｂ、１２ｃ、その近傍にフラッシュ照明手段としてストロボ１１ａ、１１ｂ、１１ｃ、そしてその奥に反射板１３ａ、１３ｂ、１３ｃが配置されている。蛍光灯１２ａ、１２ｂ、１２ｃは、主に硬貨の投入、操作入力、ポーズ確認や編集操作等の操作を利用者が安全に実施するため点灯され、ストロボ１１ａ、１１ｂ、１１ｃは撮影と同期して発光して反射板１３ａ、１３ｂ、１３ｃに光が反射後、拡散板２ａ、２ｂ、２ｃにて光を拡散させ均一な光で被写体を照射するようになっている。
【００１９】
連続照明手段は、蛍光灯に限らず白熱灯などの常時点灯する照明器具を含む。被写体のポーズ確認と撮影した画像の陰等のイメージを一致させるためには、連続照明手段とフラッシュ照明手段は同一であるか近傍に配置されていることが望ましい。
【００２０】
筐体３の接客面の幅方向の中央位置の上部には、撮影時ならびに編集時に回転し必要な機能を筐体接客面に配置可能な撮影／編集ユニット４が配置されている。図５、図６、図７は撮影／編集ユニット４の構造を示す図である。撮影／編集ユニット４はほぼ直方体形状となっており、筐体の接客面に平行となる垂直な回転軸４１ａ、４１ｂを中心に回転する。回転軸４１ａにはギア付きのトルクリミッタ４２があり、筐体内部に設置された撮影／編集ユニット４の駆動モータ２１からの駆動をギア２２に伝え、トルクリミッタ４２を介して撮影／編集ユニット４へ動力を伝え回転するようになっている。また、撮影／編集ユニット４の回転面の側面には位置検知片４６があり、筐体３の内部に配置されている撮影位置検知センサ２３ａならびに編集位置検知センサ２３ｂにより撮影／編集ユニット４の位置を検知するようになっている。筐体３の接客面には撮影／編集ユニット４の撮影用の部品が配置された撮影面、あるいは撮影／編集ユニット４の編集用の部品が配置された編集面が配置されるようになっている。
【００２１】
撮影／編集ユニット４の撮影面は、被写体をアップで撮影したり、全身を撮影したりするモード切替スイッチ４４ａ、４４ｂと、撮影開始の入力をおこなうためのシャッタスイッチ４５と、上記切換スイッチ４４ａ、４４ｂ、ならびにシャッタスイッチ４５に連動してアップ撮影したり全身撮影したりする撮影手段であるデジタルカメラ４３にて構成されている。デジタルカメラ４３は、たとえば、ＣＣＤ（Charge Coupled Device）、ＣＭＯＳ（Complementary Metal Oxide Semiconductor）等の撮像素子からなる小型のカメラで構成される。編集面は、撮影した画像ならび各種情報を表示する表示手段であるモニタ５１と各種入力や表示した画像に対して編集を許容する編集受付手段であるタッチパネル５２とタッチパネル５２への入力操作を行なうタッチペン５３ａ、５３ａにて構成されている。モニタ５１は、たとえば液晶ディスプレイにより構成されるが、ブラウン管やプラズマディスプレイ等で構成してもよい。タッチペン５３ａ、５３ａはタッチペンホルダ５４ａ、５４ａに装填可能となっている。
【００２２】
また、利用空間のフレーム上部にはプロジェクタ８が配置され、デジタルカメラ４３で取り込んだ画像や各種の情報を筐体接客面に投影する。このとき、モード切換スイッチ４４ａ、４４ｂならびにシャッタスイッチ４５は、撮影／編集ユニット４の撮影面ではなく、フレーム７の側面等に別に設けても良い。このようにすれば、投影時に画像がスイッチで見難くなることがなくなる。
【００２３】
図８は画像編集印刷装置の制御回路のブロックを示す。制御装置は筐体の内部に構成される。制御部は、ＲＯＭ３０、ＣＰＵ３１、ＲＡＭ３２を備えて、ＣＰＵ３１はＲＯＭ３０に格納されているプログラムを読み込んで制御処理を実行し、ＲＡＭ３２に処理用データの読み書きを行なう。
【００２４】
貨幣処理装置３６は、前述の、硬貨投入口５の内部に設けられ、投入された貨幣（例えば、硬貨）の真偽判別、金銭判別を行い、投入金額を処理信号としてＣＰＵ３１に送信する。
【００２５】
デジタルカメラ４３はＣＰＵ３１より撮影モード信号を受信し、ズーム等の撮影条件を変更する。また、撮影指示信号を受け取り、撮影を行なうとともに、シャッタ信号をストロボ１１へ送信する。また、ＣＰＵ３１より画像データ入手指示信号を受け取り、動画データや静止画データといった画像データを制御部に送信する。また、デジタルカメラ４３は画像信号をプロジェクタ８に送信し表示させる。
【００２６】
プロジェクタ８は、デジタルカメラ４３またはＣＰＵ３１から画像信号を受信し、該信号に従って画像を筐体３の接客面に表示する。
【００２７】
ストロボ１１は、デジタルカメラ４３から送信されたシャッタ信号により発光する。
【００２８】
蛍光灯１２は、電源投入後、電源断となるまで点灯する。
【００２９】
位置検知センサ２３は撮影／編集ユニット４の位置を検知し検知信号をＣＰＵ３１に送信する。
【００３０】
駆動モータ２１はＣＰＵ３１からの駆動信号に基づき撮影／編集ユニット４を回転させる。
【００３１】
スピーカ３３はプロジェクタ８やモニタ５１の画面内容に同期してＣＰＵ３１からの音声信号に基づき操作案内を行なう。配置は、プロジェクタ８の投影に邪魔とならない位置として筐体接客面の上方に設ける。
【００３２】
プリンタ３４は、出力すべきプリント画像データがＣＰＵ３１から送信されるとそのプリント画像データに基づきシール紙に印刷する。
【００３３】
モニタ５１は、ＣＰＵ３１から画像信号を受信し、該信号に従って編集画像および操作案内画像などの画像を表示する。
【００３４】
入力装置３５は利用者による操作入力を受け付ける装置であり、本実施形態では、モード切替スイッチ４４、シャッタスイッチ４５およびタッチパネル５２を表す。タッチパネル５２は利用者によるタッチペン５３での操作内容に該当する信号を入力信号としてＣＰＵ３１へ送信する。
【００３５】
以上のように構成された装置による利用方法の処理フローを図９に基づいて説明する。
【００３６】
まず利用者が画像編集印刷装置１の中に入り、利用者により貨幣（例えば硬貨）が硬貨投入口５に投入されると、図８に示す貨幣処理装置３６は真偽判別、金種判別を実行する（ステップｎ１）。
【００３７】
所定貨幣が投入されると、ＣＰＵ３１は撮影位置検知センサ２３ａの検知信号を確認する。直前の利用者による利用が正常に終了していれば、撮影／編集ユニット４は撮影位置と編集位置の中間位置にある。そこで、撮影／編集ユニット４が撮影位置にない場合、駆動モータ２１に駆動信号を送信し駆動させ、撮影／編集ユニット４の位置検知片４６が撮影位置検知センサ２３ａを遮光する位置まで回転させ撮影／編集ユニット４を撮影面にする（ステップｎ２）。
【００３８】
この後、所定の撮影処理を行なう（ステップｎ３）。撮影処理が終了するまで、撮影処理を継続させる（ステップｎ４）。
【００３９】
撮影処理が終了するとＣＰＵ３１は撮影／編集ユニット４を回転させるため駆動モータ２１に駆動信号を送信し駆動させ、撮影／編集ユニット４の位置検知片４６が編集位置検知センサ２３ｂを遮光する位置まで回転させ、撮影／編集ユニット４を編集面にする（ステップｎ５）。
【００４０】
この後、所定の編集処理を行なう（ステップｎ６）。利用者は、タッチペンホルダ５４ａ、５４ａからタッチペン５３ａ、５３ａを取り出し、このタッチペン５３ａ、５３ａでタッチパネル５２に対し編集処理をおこなう。ここで、行われる編集処理は撮影画像の明度、彩度の変更や、タッチペンによる編集対象画像への編集画像入力を含む。編集画像入力はあらかじめ登録された図形や、文字等の入力も含まれる。編集処理が終了するまで、編集処理を継続させる（ステップｎ７）。
【００４１】
編集終了後、タッチペン５３によるタッチパネル５２へのシール紙への画像の印刷の際の分割数の設定入力を受け付ける（ステップｎ８）。
【００４２】
ステップｎ８の後、モニタ５１ならびにスピーカ３３より、タッチペン５３ａ、５３ａをタッチペンホルダ５４ａ、５４ａに戻すように案内をする。タッチペンホルダ５４ａ、５４ａにタッチペン５３ａ、５３ａが戻されたことを確認できれば、ＣＰＵ３１は駆動モータ２１に駆動信号を送信して撮影／編集ユニット４を回転させ、編集位置と撮影位置の中間位置になるようにする（ステップｎ９）。タッチペンホルダ５４ａ、５４ａにタッチペン５３ａ、５３ａが戻されたことを確認するために、タッチペンホルダ５４ａ、５４ａ内にタッチペン５３ａ、５３ａを検知するためのマイクロスイッチを取り付けておくのがよい。
【００４３】
中間位置へ回転させた後、プリンタ３４によりシール紙に画像を印刷し、写真シール紙として写真シール排出口６へ排出する（ステップｎ１０）。
【００４４】
本実施形態では、編集手段をタッチペンによるタッチパネルへの入力としたが、タッチペンの代わりに指入力を許容するタッチパネルを利用してもよい。また、タッチペン５４ａ、５４ａのケーブルは自動巻き取り方式にし、撮影／編集ユニット４が回転時に回転の邪魔にならないように収納しても良い。
【００４５】
また、本実施形態では、撮影／編集ユニットは垂直な回転軸４１ａ、４１ｂを中心に回転するものとしたが、回転軸を水平とし、上下方向に回転させるようにしてもよい。また、撮影／編集ユニットはＣＰＵ３１からの駆動信号に基づき駆動モータ２１により回転させるものとしたが、モータを省略して利用者が手動で回転させるようにしてもよい。
【００４６】
（第２の形態）
図１０および図１１は本発明の画像編集印刷装置の他の実施の形態の図である。先の実施例と同様の部分は省略し、差異のある部分についてのみ説明をする。
【００４７】
筐体３の接客面の上部には，被写体をアップで撮影したり，全身を撮影したりするモード切替スイッチ４４ａ、４４ｂと、撮影開始の入力をおこなうためのシャッタスイッチ４５と、上記切換スイッチ４４ａ、４４ｂならびにシャッタスイッチ４５に連動してアップ撮影したり全身撮影したりする撮影手段であるデジタルカメラ４３がある。
【００４８】
また、接客面の下部には、引出し式になっている編集ユニット１０４が構成されている。また、その下には、収納用の引出し１０５が構成されており、利用者の荷物等を入れることが可能である。
【００４９】
図１２は筐体３の平面図で、編集ユニット１０４を引き出した図である。編集ユニット１０４には編集画像を表示するモニタ５１と、モニタ５１に重ねて配置されておりタッチペン５３ａ、５３ａによる入力を受け付けるタッチパネル５２と、タッチペン５３ａ、５３ａが収納された編集ユニット１０４があり、利用者が編集処理中に利用することが可能である。
【００５０】
図１３に画像編集印刷装置の制御回路のブロックを示す。位置検知センサ１２３は編集ユニット１０４が筐体内に押し込まれているかを検知し検知信号をＣＰＵ３１に送信する。
【００５１】
電磁ロック１２１はＣＰＵ３１からの駆動信号に基づき編集ユニット１０４の引出し防止のためのロック機構のロックおよび解除をおこなう。
【００５２】
以上のように構成された装置による利用方法の処理フローを図１４に基づいて説明する。
【００５３】
まず利用者が画像編集印刷装置１の中に入り、利用者により貨幣（例えば硬貨）が硬貨投入口５に投入されると、図８に示す貨幣処理装置３６は真偽判別、金種判別を実行する（ステップｎ１）。
【００５４】
所定貨幣が投入されると、プロジェクタ８ならびにスピーカ３３にて操作案内をし、所定の撮影処理を行なう（ステップｎ３）。撮影処理が終了するまで、撮影処理を継続させる（ステップｎ４）。
【００５５】
撮影処理が終了するとＣＰＵ３１は編集ユニット１０４が引き出せるように電磁ロックを解除するとともに、引出し可能になったことをプロジェクタ８ならびにスピーカ３３から利用者へ案内する（ステップｎ１０５）。
【００５６】
この後、所定の編集処理を行なう（ステップｎ６）。利用者は、取っ手１０６を持って編集ユニット１０４を引き出すと、タッチペン５３ａ、５３ａにより、タッチパネル５２に対し編集処理をおこなう。編集処理が終了するまで、編集処理を継続させる（ステップｎ７）。
【００５７】
編集終了後、タッチペン５３によるタッチパネル５２へのシール紙への画像の印刷の際の分割数の設定入力を受け付ける（ステップｎ８）。
【００５８】
ステップｎ８の後、モニタ５１ならびにスピーカ３３より、タッチペン５３ａ、５３ａを元の位置に戻して、編集ユニット１０４を押し込むように案内をする。併せて、ＣＰＵ３１は電磁ロックをオンにし、編集ユニット１０４にロックが掛かるようにする（ステップｎ１０９）。
【００５９】
編集ユニット１０４が押し込まれてロックが掛かっていれば、プリンタ３４によりシール紙に画像を印刷し、写真シール紙として写真シール排出口６へ排出する（ステップｎ１０）。
【００６０】
好ましくは、編集ユニット１０４の奥にバネ等の弾性体を配置しておき、電磁ロック１２１でロックを解除したときに、編集ユニット１０４が飛び出すようにしておいてもよい。
【００６１】
また、本実施形態では、編集ユニット１０４を利用者が手動で引き出すあるいは押し込むものとしたが、モータを内蔵し、ＣＰＵ３１からの駆動信号に基づき自動的に移動するようにしてもよい。
【００６２】
【発明の効果】
このように、撮影スペースを編集スペースに置き換えることで、ゲームセンタの限られたスペースを有効に活用することができる。撮影時は撮影に必要な部分、編集時には編集に必要な部分を利用者の接客面に配置することで、利用者にとって、操作等をわかりやすくすることができる。撮影時に編集装置がないので、筐体接客面の撮影部分以外を照明手段にすることが可能となり、明るい中での撮影が可能となる。
【図面の簡単な説明】
【図１】
本発明の一実施の形態による画像編集印刷装置を示す斜視図である。
【図２】
本発明の一実施の形態による画像編集印刷装置を示す側面図である。
【図３】
本発明の一実施の形態による画像編集印刷装置の筐体を示す正面図である。
【図４】
図３から拡散板２ａ、２ｂ、２ｃを取り外した図である。
【図５】
図３の撮影／編集ユニットの撮影面とその関連部品の図である。
【図６】
図３の撮影／編集ユニットの編集面とその関連部品の図である。
【図７】
図５の底面図である。
【図８】
本発明の一実施の形態の画像編集印刷装置のブロック図である。
【図９】
本発明の一実施の形態の画像編集印刷装置のフロー図である。
【図１０】
本発明の一実施の形態による画像編集印刷装置を示す斜視図である。
【図１１】
本発明の一実施の形態による画像編集印刷装置の筐体を示す正面図である。
【図１２】
本発明の一実施の形態による画像編集印刷装置の筐体を示す平面図で編集ユニットを引き出した図である。
【図１３】
本発明の一実施の形態の画像編集印刷装置のブロック図である。
【図１４】
本発明の一実施の形態の画像編集印刷装置のフロー図である。
【符号の説明】
１  画像編集印刷装置
２  拡散板
３  筐体
４  撮影／編集ユニット
５  硬貨投入口
６  写真シール排出口
７  フレーム
８  プロジェクタ
９  テント
１０  カーテン
１１  ストロボ
１２  蛍光灯
１３  反射板
２１  駆動モータ
２２  駆動ギア
２３  位置検知センサ
４１  回転軸
４２  トルクリミッタ
４３  デジタルカメラ
４４  モード切替スイッチ
４５  シャッタスイッチ
４６  位置検知片
５１  モニタ
５２  タッチパネル
５３  タッチペン
５４  タッチペンホルダ
１０４  編集ユニット
１０５  収納引出し
１０６  取っ手